(57)【要約】【課題】  簡単に保湿性を継続的に与えることができるマスクを提供する。【解決手段】  本発明に係る保湿機能を備えたマスク１０は、一定の大きさを有するマスク本体部２０と、マスク本体部２０に水分を供給するための弾性を有するノズル４０とを有する。ノズル４０は、一方の端部４２と、他方の端部４６を有し、一方の端部４２と他方の端部４６との間には水分を通過させるための中空の流路が形成されている。少なくとも一方の端部４２は、流体を供給するための外部装置に接続可能な結合部４８が設けられ、少なくとも他方の端部４６は、マスク本体部内に取り付けられている。【選択図】  図１
2011104221.tif 000002
【特許請求の範囲】
【請求項１】
保湿機能を備えたマスクであって、
一定の大きさを有するマスク本体部と、
マスク本体部に水分を供給するための弾性を有するノズルとを有し、
ノズルは、一方の端部と、他方の端部を有し、
一方の端部と他方の端部との間には水分を通過させるための中空の流路が形成されており、
少なくとも一方の端部は、流体を供給するための外部装置に接続可能な結合手段が設けられ、
少なくとも他方の端部は、前記マスク本体部内に取り付けられている、マスク
【請求項２】
前記ノズルの他方の端部から軸方向に一定の範囲内において、ノズルの外周面には、前記中空の流路と繋がる複数の孔が形成されている、請求項１に記載のマスク。
【請求項３】
前記マスク本体部は、前記他方の端部を保持する保湿部材を含む、請求項１または２に記載のマスク。
【請求項４】
前記マスク本体部は、前記保湿部材の表面を覆う表面基材と前記保湿部材の裏面を覆う裏面基材の積層から構成される、請求項１ないし３いずれか１つに記載のマスク。
【請求項５】
前記裏面基材には、一定の範囲を取り囲む弾性部材が固定されている、請求項４に記載のマスク。
【発明の詳細な説明】
【技術分野】
【０００１】
本発明は、保湿機能を備えたマスクに関し、特に、水分等の流体を供給する機能を備えた保湿マスクに関する。
【背景技術】
【０００２】
特許文献１は、空気の乾燥による喉の痛みを防止するために湿った空気を喉に送ることができるウエットマスクを開示している。このウエットマスクは、図７に示すように、マスク本体Ａにポケット部Ｂを形成し、ポケット部Ｂ内に、水性薬剤を染み込ませたウエット素材Ｃを取り付けている。
【０００３】
特許文献２は、多孔質膜、保湿性を有する織布または不織布、支持層を積層した保湿性を有するマスクを開示している。このマスクは、図８に示すように、支持層２と多孔質膜１との間に保湿層３を介在させる積層構造を有している。
【０００４】
特許文献３は、マスクに取替えシートを取り付け、このシートにノズルのついたボトルから噴霧するミスト状の保湿液を含浸させることを開示している。このマスクは、図９に示すように、ユーザがスプレーを利用してウオータタイプ保湿液に保湿を与えるものである。
【先行技術文献】
【特許文献】
【０００５】
【特許文献１】特開２００２−２０４８３５号
【特許文献２】特開２００７−２８２７２０号
【特許文献３】特開２００４−１８１１８０号
【発明の開示】
【発明が解決しようとする課題】
【０００６】
上記の従来技術にあるように、マスクに保湿性を持たせることは、空気が乾燥しているときに喉への痛みを防止したり、インフルエンザなどの菌の増殖を抑制する上で効果的である。
【０００７】
しかしながら、特許文献１に示すマスクでは、マスクの使用を開始するとき、ウエット素材を保湿させこれをポケット部内に取り付けなければならず、その作業が煩雑となる。さらにマスクの使用中において、外気が乾燥していると、ウエット素材が乾燥してしまい、保湿性を継続させることができず、再度、ポケット部からウエット素材を取り出しこれを保湿させなければならない。また、特許文献２に示すマスクでも同様に、マスクの使用中に保湿層２の保湿効果が薄れると、繰り返し保湿層２を保湿させなければならない。さらに特許文献３に示すように、保湿性を与えるたびにマスクを顔から取り外し、スプレーなどを用いて水分等を供給しなければならない。
【０００８】
本発明は、このような従来の課題を解決し、簡単に保湿性を継続的に与えることができるマスクを提供することを目的とする。
【課題を解決するための手段】
【０００９】
本発明に係る保湿機能を備えたマスクは、一定の大きさを有するマスク本体部と、マスク本体部に水分を供給するための弾性を有するノズルとを有し、ノズルは、一方の端部と、他方の端部を有し、一方の端部と他方の端部との間には水分を通過させるための中空の流路が形成されており、少なくとも一方の端部は、流体を供給するための外部装置に接続可能な結合手段が設けられ、少なくとも他方の端部は、前記マスク本体部内に取り付けられている。好ましくは、前記ノズルの他方の端部から軸方向に一定の範囲内において、ノズルの外周面には、前記中空の流路と繋がる複数の孔が形成されている。
【００１０】
本発明に係るマスクは、マスク本体部と、前記マスク本体部の両側に位置する一対の耳掛け部と、ノズルとを有する。前記マスク本体部は、マスクを人体の顔に装着した時に外気に触れる部分（以下、表面基材）と、人体の顔に触れる部分（以下、裏面基材）との間に保湿部材を有する積層構造から成る。ノズルの一方の端部には、外部の流体供給装置に取付け可能な結合手段が設けられ、例えば、マスクに水分を供給するためのスプレー容器等が結合される。ノズルの他方の端部は、マスク本体部の保湿部材または保湿部材の界面に固定されて、一方の端部から供給された水分を保湿部材へ提供する。
【００１１】
マスクを装着した時に、表面基材は、撥水性のある素材から構成され、飛沫するウィルスがマスクを通過して人体へ侵入するのを防ぐ。また、保湿部材内の水分が衣服等に漏洩するのを防ぐ。裏面基材は、繊維の細かい布から構成され、保湿部材は保湿性に優れた素材から構成されるので、呼吸によって湿った空気が人体の鼻や口に送られる。さらに、マスク本体部が水分供給源に接続されるノズルを有することにより、マスクを装着したまま水分を前記保湿部材へ供給することができる。
【００１２】
さらに好ましくはマスクは、マスク本体部と、耳掛け部と、ノズルと、マスク本体部の裏面基材に固定された弾性部材、例えばスポンジとを有する。スポンジは、マスク本体部の裏面基材に固定されて、人体の顔の口と鼻との外周を囲む。スポンジは、マスク装着時にマスクと顔との間にできる隙間から侵入するウィルスが、人体の口や鼻に到達するのを防ぐよう、壁の役割を果たす。
【００１３】
さらに好ましくはマスクは、マスク本体部と、耳掛け部と、保湿部材と裏面基材との間に固定されたノズルとを有する。ノズルは、保湿部材に水分を供給するとともに、裏面基材を突出させることで裏面基材を顔に密着させ、外部からのウィルスの侵入を防ぐ役割を果たす。
【発明の効果】
【００１４】
本発明によれば、マスクの保湿性が低下したときに、マスクを装着したまま水分を補給することでマスクの保湿性を継続させることができる。特に、ノズルの一方の端部には、外部の供給装置を接続可能な結合手段が設けられているので、結合手段を介して簡単に水分をマスク本体部に供給することができ、従来のマスクのような煩雑さを回避することができる。
【図面の簡単な説明】
【００１５】
【図１】本発明の第１の実施例に係るマスクの外観斜視図である。
【図２】図２(ａ)は、マスクを正面から見た平面図、図２（ｂ）は、マスクの裏面基材を取り除いた状態の平面図、図２（ｃ）は、ノズルの水分を供給する構造を説明する図である。
【図３】図２（ａ）のＡ−Ａ線断面図である。
【図４Ａ】本実施例のマスクに利用されるスプレー容器の外観斜視図である。
【図４Ｂ】本実施例のマスクに利用されるチューブを示す図である。
【図４Ｃ】本実施例のマスクに利用される携帯型パックを示す図である。
【図５】図５（ａ）は、本発明の第２の実施例に係るマスクを裏面から見た平面図、図５（ｂ）は、Ａ１−Ａ１線断面図である。
【図６】本発明の第３の実施例に係るマスクの断面図である。
【図７】従来の保湿機能を有するマスクを示す図である。
【図８】従来の保湿機能を有するマスクを示す図である。
【図９】従来の保湿機能を有するマスクを示す図である。
【発明を実施するための最良の形態】
【００１６】
本発明の最良の実施の形態について図面を参照して詳細に説明する。
【実施例】
【００１７】
図１は、本発明の実施例に係る保湿性を有するマスクの外観斜視図である。本実施例のマスク１０は、人体の鼻や口を覆うマスク本体部２０と、マスク本体部２０の両側に設けられた一対の耳掛け部３０とを有する。マスク本体部２０は、好ましくは、中央部が凸形状になるように湾曲された形状を有する。この凸形状は、マスク本体部２０内に外部から遮断された空間を形成し、当該空間内に口や鼻が晒される。凸形状の大きさや高さは、特に限定されるものではなく、適宜選択される。耳掛け部３０は、ゴム状の部材から構成され、マスク本体部２０の外周が人体の顔に装着されたとき、適当な圧力でマスク本体部２０が顔を押圧する。
【００１８】
本実施例のマスクでは、マスク本体部２０にノズル４０が取付けられており、ノズル４０から水、蒸気、水分、ミストなどをマスク本体部２０に供給することができる。供給される液体は、水以外に、抗菌性、香りなどがあるものを含んでいても良い。ノズル４０は、ゴム、プラスチック樹脂、シリコーンなどの材料から構成され、好ましくは弾力性を有する材料から構成される。ノズル４０を柔軟な構成とすることで、マスク１０を装着した時に、もし、ノズル４０の違和感が顔に生じないようにすることができる。
【００１９】
図２(ａ)は、マスクを裏側から見たときの平面図、図２（ｂ）は、マスクの裏面基材と保湿部材の一部を取り除きノズルを露出させたときの平面図、図２（ｃ）は、ノズルの他方の端部周辺に形成された水供給部を示す図、図３は、Ａ−Ａ線断面図である。
【００２０】
本実施例では、ノズル４０の一方の端部４２から他方の端部４６までの長さは、適宜選択され、用途によって長くすることも短くすることもできる。ノズル４０は、一方の端部と他方の端部を有する円筒状を有し、内部に中空の流路４１が成形され、当該流路４１は、一方の端部４２の終端面から他方の端部４６の終端面４６Ａまで連続する。ノズル４０の径は、マスク本体２０に水分を供給することが十分で大きさ、例えば５〜８ｍｍ程度である。ノズル４０の一方の端部４２には、結合部４８が形成される。結合部４８は、後述するように水分の供給源となるスプレー容器（図４を参照）を接続できるようになっている。
【００２１】
マスク本体部２０は、図３に示すように、表面基材２２と、裏面基材２４と、それらの間に保持された保湿部材２６とを有する積層構造から構成されている。表面基材２２には、撥水性のある素材が使用され、裏面基材２４には、ガーゼのような繊維の細かい素材が用いられる。保湿部材２６は、ノズル４０を保持するとともに、ノズル４０から供給された水分等を漏洩することなく保湿できるような素材が使用され、例えば、織布または不織布などの繊維を用いることができる。さらに好ましくは、保湿部材２６には、キトサン成分が配合された繊維が使用され、抗菌・防臭の役割を果たすことができる。
【００２２】
ノズル４０の他方の端部４６の周辺には、図２（ｃ）に示すように、内部に形成された中空の流路４１に連通される複数の円形状の微細な孔４４が形成されている。複数の孔４４は、好ましくは、他方の端部４６の終端面４６Ａから軸方向に一体の長さＬの範囲内において、ノズルの外周面に形成され、内部の中空の流路４１に連通される。複数の孔４４は、好ましくは、一定の間隔で等しい大きさに形成されるが、孔４４は、異なる大きさ、異なる間隔で形成されてもよいし、円形以外の形状であってもよい。複数の孔４４は、一方の端部４２から水等の流体が一定の圧力で供給されたとき、当該流体を外部に排出または噴出させる機能を有する。保湿部材２６は、孔４４から排出または噴出された水分で保湿される。
【００２３】
ノズル４０の他方の端部４６は、マスク本体部２０のほぼ中央を長手方向に沿って延在するように配置される。保湿部材２６には、図３（ａ）に示すように、ノズル４０を保持するために円形状の穴２６Ａが形成され、当該穴２６Ａの形状は、ノズル４０を配置する形状を規定する。ノズル４０は、穴２６Ａ内に挿入されたとき、保湿部材２６との間の摩擦によって保持されてもよいし、穴４０Ａの径をノズル４０よりも幾分だけ小さくすることでノズル４０自身の弾力性によって保持されるようにしてもよい。このような取付けをすることで、ノズル４０をマスク本体部２０から着脱可能な構成にすることができる。但し、ノズル４０の着脱が不要な場合には、ノズル４０を接着剤やそのた固定手段を用いて保湿部材２６に固定するようにしてもよい。また、保湿部材２６には、穴２６Ａの代わりに、図３（ｂ）に示すように、その表面にノズル４０を収容するための溝または凹部２６Ｂを形成するようにしてもよい。
【００２４】
このようにマスク本体部２０内にノズル４０の他方の端部側を取付けることで、マスク本体部２０の中央部分は、ノズル４０の溝４４から供給された水分によって全体的にまんべんなく保湿され、マスクを装着したユーザの口や鼻に最も湿った空気を提供することができる。マスク本体部２０に提供される水分の量は、孔４４の数や大きさにより調節することができる。また、ノズル４０の一方の端部４２は、マスク本体部２０から一定の長さで延在するが、その長さは適宜選択することができる。さらに上記実施例では、ノズルの他方の端部４６の周辺に複数の溝４４を形成したが、必ずしも溝４４は不要である。この場合、水分等の液体は、他方の端部４６の終端面４６Ａの流路４１から排出または噴霧されるようにしてもよい。
【００２５】
次に、本実施例のマスクの好ましい使用例について説明する。図４Ａは、水分等の液体を貯蔵しかつこれを供給するためのスプレー容器５０の概略斜視図である。スプレー容器５０は、押下可能なボタン５２と、液体を貯蔵する容器５４と、ボタン５２に接続されたノズル５６と、ノズル５６の先端に設けられた結合部５８とを有する。結合部５８は、マスク１０の結合部４８に接続することが可能であり、例えば、結合部４８、５８は、それぞれ雌型と雄型の構成を有することができる。
【００２６】
容器５４内に水等の液体を貯蔵し、結合部５８をノズル４０の結合部４８に接続し、この状態からユーザは、ボタン５２を押下する。容器５４内の水分は、ボタン５４に接続された容器内のホースにより吸い上げられて、ノズル５６を介して結合部５８から噴霧状になって供給される。結合部５８から供給された水分は、さらにノズル４０内の中空の流路を進み、ノズル４０の他方の端部４６の孔４４から噴霧される。これにより、マスク本体部２０の保湿部材２６が保湿される。
【００２７】
マスク１０の使用中は、必ずしもスプレー容器５０をマスクに接続せず、スプレー容器５０を取り外した状態でよい。外気の乾燥によりマスク本体部２０が乾燥したとき、再度、スプレー容器５０を、マスク本体部にノズル４０を介して接続し、マスク本体部２０に水分を補給すればよい。
【００２８】
図４Ｂは、チューブ器具を接続する例を示す図である。可撓性および弾力性のある管状の１本のチューブ１００一方の端部には、噴霧部材１１０が取り付けられ、他方の端部には結合材１２０が取り付けられる。チューブ１００は、好ましくはシリコーンゴムから構成される。チューブ１００は、例えば、直径が６ｍｍないし１０ｍｍであり、内部に一定容量の水分等を収容することができるように、例えば１ｍ１０ｃｍ程度の長さを有する。さらに好ましくはチューブ１００は、透明または半透明であり、肉眼により水分等の残容量を確認することが可能である。噴霧部材１１０および結合部材１２０を取り外し可能にし、噴霧部材１１０または結合部材１２０を取り外してチューブ１００内に水分を充填することができる。
【００２９】
噴霧部材１１０は、チューブ内の水分を噴霧状にして噴射させるものであり、公知の構成を用いることができる。噴霧部材１１０は、チューブ１００の一方の端部の内壁に圧入される。噴霧部材１１０は、好ましくは、円筒状の押下式のボタン１１２を有し、ボタン１１２の側壁には噴霧孔１１４が形成されている。ボタン１１２を押下することで、チューブ１００内の消毒液が吸入管（図示しない）に吸い込まれ、噴霧孔１１４からミスト状になって噴霧される。結合部材１２０は、マスク１０のノズルの結合部４８に着脱可能に結合される。例えば、チューブ１００をマフラーのように首に巻き、結合部材１２０をマスク１０のノズルに結合させた状態で、噴霧部材１１０のボタン１１２を押下し、所望のタイミングでマスク１０の保湿部材２６を保湿することができる。
【００３０】
図４Ｃは、携帯型パックを接続する例を示す図である。携帯型パックは、可撓性のあるプラスチックなどの部材から形成された容器２００と、容器２００の先端に取り付けられたノズル２１０と、ノズル２１０の端部に形成された結合部２２０とを有する。容器２００内には、水分等を収容することができ、容器２００を外部から押圧すると、ノズル２１０の結合部２２０から水分が出力される。ノズル２１０は、容器２００に対しネジやその他の嵌合手段により着脱可能であり、ノズル２１０を取り外した状態で容器２００内に液体を補充することができる。ノズル２１０の結合部２２０は、マスク１０のノズルの結合部４８に着脱可能に結合される。例えば、容器２００をポケット内に保持した状態で、マスク１０のノズルを容器２００のノズル２１０に結合させ、所望のタイミングで容器２００を押圧して内部の水分等をマスクの保湿部材２６に供給することができる。
【００３１】
次に、本発明の第２の実施例に係るマスクを説明する。図５は、第２の実施例に係るマスクの構成を示し、同図（ａ）は正面図、図（ｂ）は、Ａ１−Ａ１線断面図である。図５（ａ）に示すように、マスク本体部２０Ａの裏面基材２４上には、スポンジ２８が形成される。スポンジ２８は、マスクが装着されたときの人体の口や鼻の外周を囲むように配置され、かつ適度な圧力で顔を押圧するような大きさに選択される。例えば、スポンジ２８は、図示するように５角形状にすることができるが、これは一例であって円形状または三角形状など他の形状であることができる。また、スポンジ２８の固定には、接着剤による貼り付けや裁縫等を用いることができる。さらにスポンジ２８は、人体の顔に接触したときの肌ストレスを緩和させるよう、ガーゼなどの繊維の細かい布で巻いても良い。
【００３２】
次に、本発明の第３の実施例に係るマスクを説明する。図６は、本発明の第３の実施例に係るマスク本体部２０Ｂの断面図を示している。第３の実施例では、第１、第２の実施例と異なり、ノズル４０Ａを保湿部材２６内に保持するのではなく、保湿部材２６と裏面基材２４との間に取り付けるものである。第３の実施例では、ノズル４０は、保湿部材２６に水分等を供給する機能を有するとともに、第２の実施例のスポンジ２８と等価な機能を提供する。つまり、ノズル４０から供給された水分は、保湿部材２６を十分に濡らし、他方、ノズル４０の外径が保湿部材２６の表面から突出しこれを裏面基材２４が覆うことで、裏面基材２４にはノズル４０に対応した段差が形成される。ノズル４０は、第２の実施例のスポンジ２８のように、人体の顔の口や鼻との外周を囲むように配置されることが望ましい。さらに、ノズル４０の一方の側、すなわち保湿部材２６と対向する面側に孔４４が形成されることが望ましく、孔４４と反対側の面が接着剤などにより裏面基材２４に固定される。
【００３３】
以上、本発明の好ましい実施の携帯について詳述したが、本発明に係わる特定の実施形態に限定されるものではなく、特許請求の範囲に記載された本発明の要旨の範囲内において、種々の変形・変更が可能である。
【００３４】
上記実施例では、マスク１０にスプレー容器５０を結合する例を示したが、これは一例であり、マスク１０のノズル４０には、他の液体供給可能な装置を接続するものであってもよい。さらに、マスク本体部２０に取付けられるノズル４０の配置形状は、適宜変更することができ、また、さらにノズル４０の他方の端部４６には、噴霧を促進するための装置などが取付けられるものであってもよい。
【符号の説明】
【００３５】
１０：マスク
２０、１０Ａ、２０Ｂ：マスク本体部
２２：表面基材
２４：裏面基材
２６：保湿部材
２６Ａ：穴
２６Ｂ：凹部または溝
３０：耳掛け部
４０、４０Ａ：ノズル
４１：流路
４２：一方の端部
４４：孔
４６：他方の端部
４６Ａ：終端面
４８：結合部
５０：スプレー容器
５２：ボタン
５４：容器
５６：ノズル
５８：結合部
【図１】
2011104221.tif 000003
【図２】
2011104221.tif 000004
【図３】
2011104221.tif 000005
【図４Ａ】
2011104221.tif 000006
【図４Ｂ】
2011104221.tif 000007
【図４Ｃ】
2011104221.tif 000008
【図５】
2011104221.tif 000009
【図６】
2011104221.tif 000010
【図７】
2011104221.tif 000011
【図８】
2011104221.tif 000012
【図９】
2011104221.tif 000013